(57)【特許請求の範囲】
【請求項１】
厚手の紙によって形成され、蓋板部、前記蓋板部から立ち上がる辺に切欠き部を有する第１側壁部、及び前記第１側壁部に隣接し、幅方向両端部に斜めの折線を有する第２側壁部を備える貼箱の生地と、
前記生地に貼付されて前記切欠き部を外側から被覆する化粧材と、
前記切欠き部に係合される係止片を一端部に備え、前記切欠き部とは反対方向の他端部側の前記折線によって区画される前記第２側壁部に設けられる糊付け部に糊付けされるガイド版と、
を備える貼箱。
【請求項２】
厚手の紙によって形成され、矩形の蓋板部、前記蓋板部の対向する一対の辺の両端から立ち上がる辺に切欠き部を有する第１側壁部、及び前記第１側壁部に対して変位自在な第２側壁部を備える貼箱の生地と、
前記生地に貼付されて前記切欠き部を外側から被覆する化粧材と、
前記第２側壁部の前記蓋板部に接続する辺に対向する辺に設けられ、前記第２側壁部との接続部分に対向する辺に、指を掛けて広げるための凹部及び幅方向両端部に、組み立てたときに前記切欠き部に係合される係止片を有するガイド版と、
を備える貼箱。
【請求項３】
厚手の紙によって形成され、底板部、前記底板部から立ち上がる外箱、及び前記外箱の内側に沿って設けられ、前記外箱より高さが高い内箱を有する身部と、
厚手の紙によって形成され、蓋板部、及び前記蓋板部から立ち上がり、切欠き部を有し、前記外箱に対応する大きさ及び形状を有する側壁部を有する蓋部と、
前記身部及び前記蓋部に貼付されて前記切欠き部を外側から被覆する化粧材と、
前記切欠き部の位置に対応する位置に設けられ、前記蓋板部の内法より突出する係止片を有し、前記蓋部に着脱可能に設置される着脱カードと、
を備える貼箱。
【発明の詳細な説明】
【技術分野】
【０００１】
本発明は、貼箱に関するものである。
【背景技術】
【０００２】
贈答品などの包装容器として貼箱がよく用いられる。この貼箱は、厚手のボール紙などの生地を折って箱形状に形成し、これに生地より薄い化粧材を貼付して作られる。貼箱は、見た目が美しいだけでなく、薄手のボール紙を折りたたむことにより形成される組箱より丈夫であり、高級感がある。
【０００３】
しかし、貼箱は一度組み上がってしまうと、折り畳むことができないため貼箱を運搬する場合、折り畳むことが可能な組箱より多くのスペースが必要となる。また、貼箱は貼箱に付属する部分を交換することは容易ではない。加えて、貼箱は丈夫であるため、廃棄する場合に貼箱を解体したり折り畳んだりすることは容易ではない。
【先行技術文献】
【特許文献】
【０００４】
【特許文献１】特許第５５６７１１１号公報
【発明の概要】
【発明が解決しようとする課題】
【０００５】
本発明は、折り畳むことも可能な美観に優れた貼箱を提供することを課題とする。
【課題を解決するための手段】
【０００６】
前記課題を解決するため、本発明の貼箱は、厚手の紙によって形成され、蓋板部、前記蓋板部から立ち上がる辺に切欠き部を有する第１側壁部、及び前記第１側壁部に隣接し、幅方向両端部に斜めの折線を有する第２側壁部を備える貼箱の生地と、 前記生地に貼付されて前記切欠き部を外側から被覆する化粧材と、 前記切欠き部に係合される係止片を一端部に備え、前記切欠き部とは反対方向の他端部側の前記折線によって区画される前記第２側壁部に設けられる糊付け部に糊付けされるガイド版と、を備える。
【発明の効果】
【０００７】
本発明によれば、美観に優れた貼箱に対して、付属部を取り付けたり交換したりすることが可能であり、また折り畳むことも可能な貼箱を提供することができる。
【図面の簡単な説明】
【０００８】
【図１】第１の実施形態の貼箱を示す斜視図。
【図２】図１の貼箱の蓋の生地である蓋生地の展開した平面図。
【図３】図２の蓋に貼付する化粧材である蓋化粧材の展開した平面図。
【図４】図１におけるＡＡ線矢視における左側部の拡大断面図。
【図５】付属部の一例としての着脱カードの平面図。
【図６】着脱カードを装着した貼箱の斜視図。
【図７】第２の実施形態を貼箱の蓋に適用した例の斜視図。
【図８】図７の蓋を完成した例を示す斜視図。
【図９】第３の実施形態に係る貼箱の蓋の分解図。
【図１０】第３の実施形態に係る貼箱の蓋を折り畳んだ状態を示す図。
【図１１】第３の実施形態に係る貼箱の蓋を組み立てた状態を示す図。
【図１２】第３の実施形態の変形例に係る貼箱の蓋の展開図。
【図１３】組み立て途中の第３の実施形態の変形例に係る貼箱の蓋を示す図。
【図１４】組み立てられた第３の実施形態の変形例に係る貼箱の蓋を示す図。
【発明を実施するための形態】
【０００９】
以下、本発明の一実施形態にかかる貼箱を、図面を参照しながら説明する。ここで、貼箱とは、厚手のボール紙を生地として箱状に形成し、この箱に薄手の化粧材などのシート状化粧材を貼った箱を指す。これに対し、組箱とは、表側に所要の印刷表示等を施した薄手のボール紙等の用紙を折り畳んだり、組み付けたりすることにより箱状に形成した箱を指し、貼箱とは構造、形態ともに異なるものである。
【００１０】
（第１の実施形態）
図１は、本実施形態の貼箱１を示す斜視図である。図１に示すように、貼箱１は蓋１００と、身２００と、を備える。
【００１１】
蓋１００は、身２００に対して開閉可能に身２００に取り付けられ、この身２００の平面形状と略同形の四角形の蓋板１０３の前側に立設される前方側壁部１０５、後ろ側に立設される後方側壁部１０７、左右にそれぞれ立設される横側壁部１０６と、蓋板１０３と、を備える。前方側壁部１０５、後方側壁部１０７、及び横側壁部１０６は蓋板１０３の外縁を周回するように立てて蓋板１０３に設置されている。
【００１２】
蓋１００は、図１に向かって左右の横側壁部１０６の上下に切欠き部１０４を備える。蓋板１０３及び前方側壁部１０５、後方側壁部１０７、及び横側壁部１０６は、それぞれの外面のほぼ全面に化粧材１２０が貼付される。なお、後方側壁部１０７の化粧材１２０は、身２００の後方側壁部２０５の外面にまで貼付されることがある。
【００１３】
従って、切欠き部１０４は蓋１００を開けた状態において内側から視認することが可能であるが、切欠き部１０４に対応する外面１０４Ａにおいては化粧材１２０がこの切欠き部１０４の外面に貼り付けられているため、この切欠き部１０４を外部から視認することができない。
【００１４】
身２００は、通常の貼箱を用いている。例えば、身２００は、内箱２０２と、外箱２０３と、底板２０４と、を有する。内箱２０２、外箱２０３、及び底板２０４の外面にはそれぞれ化粧材２０６が貼り付けられる。
【００１５】
図２は図１の蓋１００の生地である蓋生地１１０を展開した平面図、図３は蓋１００に貼付される化粧材である化粧材１２０を展開した平面図である。図２に示すように、蓋生地１１０は、蓋板１０３と、蓋板１０３の図２に向かって上方に設けられる前方側壁部１０５と、蓋板１０３の下方に設けられる後方側壁部１０７と、蓋板１０３の左右にそれぞれ設けられる横側壁部１０６と、を備える。図２及び図３において、二点鎖線は谷折りを、破線は山折りを示す。
【００１６】
横側壁部１０６は、蓋板１０３との接続部位の上端部と下端部に一つずつの切欠き部１０４を有する。切欠き部１０４の幅Ｌ６は蓋生地１１０の厚さと略等しい。切欠き部１０４の長さＬ７は、適宜定めることができる。
【００１７】
図３に示すように、化粧材１２０は、蓋生地１１０の蓋板１０３に対応する形状の蓋化粧部１２５と、前方側壁部１０５に対応する形状に加え、左右両側端部にのりしろ１２１Ａを有する前方化粧部１２１と、蓋生地１１０の後方側壁部１０７に対応する形状に加え、左右両側端部に第１のりしろ１２３Ａ、第２のりしろ１２３Ｂ、及び下端部に第３のりしろ１２３Ｃを有する後方化粧部１２３と、を備える。
【００１８】
化粧材１２０はさらに、蓋生地１１０の切欠き部１０４を塞ぎ、横側壁部１０６に対応する形状をなす横化粧部１２２を備える。従って、切欠き部１０４は、外側から化粧材１２０に覆われて外側からは視認することができなくなる。
【００１９】
蓋生地１１０における前方側壁部１０５の縦幅Ｌ１は化粧材１２０の前方化粧部１２１の縦幅Ｌ１１と等しく、蓋生地１１０の蓋板１０３の縦幅Ｌ２は蓋化粧部１２５の縦幅Ｌ１２と等しく、蓋板１０３の横幅Ｌ３は蓋化粧部１２５の横幅Ｌ１３と等しい。また、蓋生地１１０の後方側壁部１０７の谷折り部から山折り部までの縦幅Ｌ４は後方化粧部１２３の谷折り部から山折り部までの縦幅Ｌ１４と等しく、後方側壁部１０７の山折り部から下端部までの縦幅Ｌ５は後方化粧部１２３の山折り部から山折り部の下方の谷折り部までの縦幅Ｌ１５と等しい。
【００２０】
化粧材１２０は、蓋生地１１０が蓋１００に組み立てられた後にこの蓋生地１１０の外面の略全面に糊を塗布して貼付される。
【００２１】
図４は、図１のＡＡ線矢視における左側部の拡大断面図である。図４に示すように、切欠き部１０４は外側から横化粧部１２２に覆われて外側から視認できない。一方、切欠き部１０４は蓋１００内側に開口する。
【００２２】
図５は、付属部の一例としての着脱カード５０１の平面図である。図５に示すように、着脱カード５０１は、蓋板１０３の縦幅Ｌ２と略等しい縦幅Ｗ５及び蓋板１０３の横幅Ｌ３と略等しい横幅Ｗ６を有する。
【００２３】
着脱カード５０１はさらに、四隅に突出した係止片５０２を有する。係止片５０２は、切欠き部１０４の長さＬ７に蓋生地１１０の厚さに相当する幅Ｗ１を加えた縦幅Ｗ２を有する。係止片５０２は縦方向に縦幅Ｗ２の分だけ突出する。係止片５０２の横幅Ｗ３は蓋生地１１０の厚さに相当する幅である。
【００２４】
図６は、着脱カード５０１を図１の蓋１００の内面に装着した貼箱１の斜視図である。図６に示すように、着脱カード５０１は、各係止片５０２を各切欠き部１０４に嵌め込むことにより貼箱１の、ここでは蓋１００の内面に装着される。
【００２５】
着脱カード５０１は各係止片５０２が各切欠き部１０４に嵌め込まれることにより着脱可能に装着されているため貼箱１に糊付け等によって固着されない。従って、着脱カード５０１は貼箱１に対して着脱可能である。
【００２６】
上記の例において、化粧材１２０は、蓋１００のみの化粧材として糊付けされたが、第３のりしろ１２３Ｃを図３の例より延長形成し、身２００の外箱２０３の後方側壁部２０５の外面にも糊付けされるように形成すると、蓋１００の後方側壁部１０７と身２００の後方側壁部２０５の境界を跨ぐ部分の化粧材１２０は、身２００に対する蓋１００の蝶番として機能する。
【００２７】
以上述べたように、本実施形態の貼箱１は、厚手の紙によって形成され、側壁部に切欠き部１０４を有する貼箱の蓋又は身の生地である蓋生地１１０と、切欠き部１０４を外側から被覆し、生地に貼付される化粧材である化粧材１２０と、切欠き部１０４に係合される係止片５０２を備える付属部である着脱カード５０１と、を備える。
【００２８】
従って、美観に優れ、かつ付属部の一部が交換可能であり、廃棄する場合には付属部を外して折り畳むことができる貼箱を提供することができるという効果がある。
【００２９】
（第２の実施形態）
図７は、本実施形態を貼箱の蓋に適用した例の斜視図である。貼箱２は、分離した蓋と身とからなるが、蓋と身とは同じ構成にすることができるため、以下は蓋について説明である。
【００３０】
図７に示すように、貼箱２の蓋は、厚手のボール紙などの蓋生地によって形成される蓋板部７０６、対向する二つの第１側壁部７０１、及び対向する二つの第２側壁部７０３を備える。生地は外側から化粧材７０２が略全面にのりづけされて貼付される。
【００３１】
対向する第１側壁部７０１はそれぞれ両端に切欠き部７０４を有する。この４つの切欠き部７０４は、外側から全ての切欠き部７０４を塞ぐように化粧材７０２が貼付されているため、外側から視認できないが、内側には切欠き部７０４が開口部として見える。
【００３２】
切欠き部７０４の横方向の幅は蓋生地の厚さとほぼ等しい。切欠き部７０４の縦方向の長さは適宜選択できる。
【００３３】
対向した二つの第２側壁部７０３は、それぞれに蓋板部７０６との接続部位の左右の外側から向かい合う形により斜めに立ち上がって上端部に達する左右の谷折り部７０３Ａと、左右いずれか一方の谷折り部７０３Ａを斜辺とする三角形状の糊付け部７０３Ｂと、内側から糊付け部７０３Ｂに糊付けされる付属部であるガイド板７０５と、を備える。ガイド板７０５は、貼箱２の折り畳み及び組み立てをガイドする。
【００３４】
ガイド板７０５は端部に横向き略凸状の係止片７０５Ａを備える。係止片７０５Ａの横幅は蓋生地の厚さと略等しい。係止片７０５Ａの縦方向の長さは切欠き部７０４の縦方向の長さと略等しい。また、ガイド板７０５の横幅は第２側壁部７０３の内側の横幅と略等しい。
【００３５】
２枚のガイド板７０５は、各糊付け部７０３Ｂと対面する部位が糊付けされて対向した第２側壁部７０３の内面に取り付けられる。ガイド板７０５を矢印Ｘ１に示す内側方向に変位させると、第２側壁部７０３は谷折り部７０３Ａにおいて折れ曲がり、ガイド板７０５が第１側壁部７０１に当接する状態において第１側壁部７０１と第２側壁部７０３とを貼箱２（ここでは蓋）の内側に折り畳むことが可能となる。
【００３６】
上記のように折り畳まれた第１側壁部７０１の内面に重なっているガイド板７０５を、第１側壁部７０１を起立させつつ矢印Ｘ２に示す貼箱２（蓋）の外側方向に変位させ、係止片７０５Ａを切欠き部７０４に嵌め込むと、第１側壁部７０１及び第２側壁部７０３とは起立して組み立てられ、貼箱２（蓋）が形成される。
【００３７】
図８は、図７の貼箱２（蓋）を完成した例を示す斜視図である。図８に示すように、ガイド板７０５の係止片７０５Ａを切欠き部７０４に嵌め込むと、ガイド板７０５は第２側壁部７０３を起立状態において固定する。第２側壁部７０３が起立すると第１側壁部７０１も起立する。従って、貼箱２（蓋）が形成される。
【００３８】
なお、上記した例においては蓋について説明したが、身についても同じ構成であるから上記の例と同じ作用効果を得ることが可能である。
【００３９】
以上述べたように、本実施形態の貼箱２は、厚手の紙によって形成され、一部に切欠き部７０４を有する生地と、切欠き部７０４を外側から被覆し、生地に貼付される化粧材７０２と、切欠き部７０４に係合される係止片７０５Ａを備える付属部であるガイド板７０５と、を備える。
【００４０】
従って、美観に優れ、かつ折り畳むことが可能な貼箱を提供することができるという効果がある。
【００４１】
（第３の実施形態）
図９は、本実施形態に係る貼箱３の蓋の分解図である。また、図１０は、本実施形態に係る貼箱３の蓋を折り畳んだ状態を示す図である。図１１は、本実施形態に係る貼箱３の蓋を組み立てた状態を示す図である。貼箱３は、蓋にも身にも適用できるため、以下、蓋についてのみ説明する。
【００４２】
図９から図１１までに示すように、貼箱３は、厚手のボール紙などの蓋生地によって形成される蓋板部９０４と、蓋板部９０４の対抗する一組の辺に一つずつ接続する第１側壁部９０１と、蓋板部９０４の対抗する他の一組の辺に一つずつ接続する第２側壁部９０２を備える。
【００４３】
第１側壁部９０１はそれぞれ両端部に切欠き部９０１Ａを有する。切欠き部９０１Ａは蓋板部９０４と第１側壁部９０１との接続部に、蓋の深さ方向に沿って伸び、蓋生地の厚みとほぼ同じ幅を有する。貼箱３は、蓋生地に貼付されて切欠き部９０１Ａを外側から被覆する化粧材９０５を備える。
【００４４】
第２側壁部９０２は、幅方向両端部に略台形をなす折り返し部９０１Ｂを備える。折り返し部９０１Ｂは、長方形の第２側壁部９０２の蓋板部９０４に接続する下辺の両端部から斜め内側に向かって半切断線を設け、さらに第２側壁部９０２の下辺に対向する上辺に向かって切断し、その後、第２側壁部９０２の上辺の端部に向かって切断することによって形成される。ここで、半切断線とは蓋生地を蓋生地の厚み方向に半分切断した線をいう。
【００４５】
この台形をなす折り返し部９０１Ｂの長いほうの底辺は第１側壁部９０１の端部と化粧材によって接続される。第２側壁部９０２に外側から貼付される化粧材９０５は、折り返し部９０１Ｂが切断される前の形状と同じ形状をなす。
【００４６】
第２側壁部９０２は上辺に接続する付属部９０３を備える。第２側壁部９０２と付属部９０３とは半切断線によって接続される。付属部９０３は幅方向両端部に、組み立てたときに切欠き部９０１Ａに係合される係止片９０３Ａを備える。係止片９０３Ａは横幅が蓋生地の厚さと略等しい。係止片９０３Ａは、縦方向の長さが切欠き部９０１Ａの縦方向の長さとほぼ等しい。また、付属部９０３は、第２側壁部９０２との接続部分に対向する辺に、ほぼ長方形に切り欠いた凹部９０３Ｂを備える。
【００４７】
図１０に示すように、貼箱３は、折り畳む場合には付属部９０３及び第２側壁部９０２を広げ、第１側壁部９０１を蓋板部９０４に合わせるように折り畳む。貼箱３は折り畳まれると略平面状となる。
【００４８】
図１１に示すように、貼箱３を組み立てる場合には、まず第１側壁部９０１と第２側壁部９０２を起立させる。そして、付属部９０３を蓋板部９０４の方向に折り曲げる。このとき、切欠き部９０１Ａに係止片９０３Ａが係合し、蓋が形成される。再び折り畳む場合には、指を凹部９０３Ｂにかけて付属部９０３及び第２側壁部９０２を広げる。
【００４９】
図１２は、本実施形態の変形例に係る貼箱４の蓋の展開図である。図１３は、組み立て途中の貼箱４の蓋を示す図である。また、図１４は組み立てられた貼箱４の蓋を示す図である。貼箱４は、蓋にも身にも適用できるため、以下、蓋についてのみ説明する。
【００５０】
図１２から図１４までに示すように、貼箱４は、厚手のボール紙などの蓋生地によって形成される蓋板部１２０４、対向する二つの第１側壁部１２０１、及び対向する二つの第２側壁部１２０２を備える。
【００５１】
第１側壁部１２０１はそれぞれ両端部に切欠き部１２０１Ａを有する。切欠き部１２０１Ａは蓋板部１２０４と第１側壁部１２０１との接続部に、蓋の深さ方向に沿って伸び、蓋生地の厚みとほぼ同じ幅を有する。貼箱４は、蓋生地に貼付されて切欠き部１２０１Ａを外側から被覆する化粧材１２０５を備える。
【００５２】
第１側壁部１２０１は、幅方向両端部に折り返し部１２０１Ｂを備える。折り返し部１２０１Ｂは第１側壁部１２０１の蓋板部１２０４に接続する辺に対向する辺の側の端部に突起部を有する。折り返し部１２０１Ｂは第１側壁部１２０１の幅方向端部と半切断線によって接続する。
【００５３】
第２側壁部１２０２の蓋生地は幅方向端部に折り返し部１２０１Ｂと同じ形状の切り欠き部を有する。蓋生地には化粧材が外側から貼付される。第２側壁部１２０２に貼付される化粧材の形状は切り欠きが設けられる前の形状と略等しい。従って、貼箱４の蓋を展開すると、図１２に示すように、内側から化粧材１２０５が視認できる。
【００５４】
第２側壁部１２０２の蓋板部１２０４に接続する辺に対向する辺には付属部１２０３が接続する。付属部１２０３は、幅方向両端部の第２側壁部１２０２との接続片に対向する辺の側に切欠き部１２０１Ａと係合する係止片１２０３Ａを有する。係止片１２０３Ａは、横幅が蓋生地の厚さと略等しい。係止片１２０３Ａは、縦方向の長さが切欠き部１２０１Ａの縦方向の長さとほぼ等しい。また、付属部１２０３は、第２側壁部１２０２との接続辺の両端部に折り返し部１２０１Ｂの突起部が係合する係合部１２０３Ｂを有する。そして、付属部１２０３にはテープ１２０３Ｃが取り付けられる。
【００５５】
図１３に示すように、貼箱４を組み立てる場合には、まず第１側壁部１２０１と第２側壁部１２０２とを起立させる。そして、折り返し部１２０１Ｂの突起部を係合部１２０３Ｂに係合させる。次いで、付属部１２０３を蓋板部１２０４の方向に折り曲げ、係止片１２０３Ａを切欠き部１２０１Ａに係合させる。
【００５６】
貼箱４を畳む場合には、テープ１２０３Ｃを引いて切欠き部１２０１Ａと係止片１２０３Ａとの係合を解き、付属部１２０３及び第２側壁部１２０２を広げる。
【００５７】
以上述べたように、本実施形態の貼箱３は、厚手の紙によって形成され、一部に切欠き部９０１Ａを有する生地と、切欠き部９０１Ａを外側から被覆し、生地に貼付される化粧材９０５と、切欠き部９０１Ａに係合される係止片９０３Ａを備える付属部９０３と、を備える。
【００５８】
従って、美観に優れ、かつより簡単に折り畳むことが可能な貼箱を提供することができるという効果がある。
【符号の説明】
【００５９】
１  貼箱
２  貼箱
３  貼箱
４  貼箱
１００  蓋
１０３  蓋板
１０４  切欠き部
１０４Ａ  外面
１０５  前方側壁部
１０６  横側壁部
１０７  後方側壁部
１１０  蓋生地
１２０  化粧材
１２１  前方化粧部
１２２  横化粧部
１２３  後方化粧部
１２５  蓋化粧部
２００  身
２０２  内箱
２０３  外箱
２０４  底板
２０５  後方側壁部
２０６  化粧材
５０１  着脱カード
５０２  係止片
７０１  第１側壁部
７０２  化粧材
７０３  第２側壁部
７０３Ａ  谷折り部
７０３Ｂ  糊付け部
７０４  切欠き部
７０５  ガイド板
７０５Ａ  係止片
７０６  蓋板部
９０１  第１側壁部
９０１Ａ  切欠き部
９０１Ｂ  折り返し部
９０２  第２側壁部
９０３  付属部
９０３Ａ  係止片
９０３Ｂ  凹部
９０４  蓋板部
９０５  化粧材
１２０１  第１側壁部
１２０１Ａ  切欠き部
１２０１Ｂ  折り返し部
１２０２  第２側壁部
１２０３  付属部
１２０３Ａ  係止片
１２０３Ｂ  係合部
１２０３Ｃ  テープ
１２０４  蓋板部
１２０５  化粧材
【図１】
0006475212.tif 000002
【図２】
0006475212.tif 000003
【図３】
0006475212.tif 000004
【図４】
0006475212.tif 000005
【図５】
0006475212.tif 000006
【図６】
0006475212.tif 000007
【図７】
0006475212.tif 000008
【図８】
0006475212.tif 000009
【図９】
0006475212.tif 000010
【図１０】
0006475212.tif 000011
【図１１】
0006475212.tif 000012
【図１２】
0006475212.tif 000013
【図１３】
0006475212.tif 000014
【図１４】
0006475212.tif 000015